(57)【特許請求の範囲】
【請求項１】
ネックの長手方向に設けられる第一棒状部材と、
前記第一棒状部材に沿って設けられ、一端部がその第一棒状部材の一端部に固定されており、他端部に第二雄ネジが形成されている第二棒状部材と、
前記第一棒状部材の他端部に固定されており、前記第二棒状部材の他端部が通される構成で、第一雌ネジが形成された大径貫通孔を備える固定部材と、
軸部の外周面に前記固定部材の第一雌ネジと螺合する第一雄ネジが形成されており、その軸部の内側に前記第二棒状部材の第二雄ネジが螺合する第二雌ネジが形成された深孔を備えるネジ部材と、
前記第二棒状部材に引張り力が加えられたときに前記第一棒状部材を一方向に湾曲させ、前記第二棒状部材に押圧力が加えられたときに前記第一棒状部材を他方向に湾曲させる方向部材とを有しており、
第一雄ネジ及び第一雌ネジのネジピッチは、第二雄ネジ及び第二雌ネジのネジピッチと異なっており、前記ネジ部材を一方向に回転させることにより、第一雄ネジと第一雌ネジ、及び第二雄ネジと第二雌ネジとの螺合作用で第二棒状部材に引張り力が加えられ、
前記ネジ部材を逆方向に回転させることにより、第一雄ネジと第一雌ネジ、及び第二雄ネジと第二雌ネジとの螺合作用で前記第二棒状部材に押圧力が加えられるように構成されていることを特徴とする弦楽器のネックの撓み修正装置。
【請求項２】
請求項１に記載された弦楽器のネックの撓み修正装置を備えるギター。
【発明の詳細な説明】
【０００１】
【発明の属する技術分野】
本発明は、弦楽器のネックの撓みを修正する装置及びその装置を備えるギターに関する。
【０００２】
【従来の技術】
ギターでは、弦を張る際に、図７に示すように、弦４の張力等によってネック２がギター１の表方向（Ｚ方向）に撓み易い。このようなネック２の撓みを修正するために、ネック２には、図６に示すように、その長手方向にネックの撓み修正装置５０が埋め込まれている。
【０００３】
ネックの撓み修正装置５０は、図５に示すように、断面略Ｕ字形に形成された第一棒状部材５２を備えており、その第一棒状部材５２の内側に芯状の第二棒状部材５４が収納されている。第二棒状部材５４の先端にはストッパ５４ｓが形成されており、そのストッパ５４ｓが第一棒状部材５２の先端外側に位置している。第一棒状部材５２の基端部にはナット５６が軸回りに回転可能に装着されており、そのナット５６の内側に雌ネジ５６ｗが形成されている。第二棒状部材５４の基端部には雄ネジ５４ｍが形成されており、その雄ネジ５４ｍがナット５６の雌ネジ５６ｗに螺合している。また、第一棒状部材５２のＵ字溝の底面５２ｂと第二棒状部材５４との間には板片５８がセットされている。なお、第二棒状部材５４は、図５（Ｃ）に示すように、予め若干湾曲している。
【０００４】
この構造により、ナット５６を締め付け方向に回転させると、雄ネジ５４ｍと雌ネジ５６ｗとの螺合により第二棒状部材５４に引張り力が加わる。これにより、図５（Ｃ）の状態から第二棒状部材５４が板片５８を介して第一棒状部材５２を上方に湾曲させる（図５（Ｄ）参照）。ネックの撓み修正装置５０は、図６（Ｂ）に示すように、第一棒状部材５２のＵ字溝の底面５２ｂ側がネック２の表側に位置するように、そのネック２の長溝２ｓに埋め込まれる。このため、ナット５６で第一棒状部材５２の湾曲の程度を調整することで、弦４によるネック２の撓みを修正することができる。
【０００５】
【発明が解決しようとする課題】
しかし、上記したネックの撓み修正装置５０は、ナット５６を締めることで第一棒状部材５２を一方向に湾曲させる構造のため、弦４の張力に起因したネック２の撓みには対応できても、他方向の撓みには対応できない。例えば、ネック２の材料となる木質の状態によって、ネック２が弦４の張力を受けているにも係わらずギター１の裏方向に撓むことがある。このような場合に、上記したネックの撓み修正装置５０ではネック２の撓みを修正することはできない。
本発明は、上記問題点に鑑みなされたものであり、ネックの複数方向の撓みを良好に修正できるネックの撓み修正装置の提供を目的とする。
【０００６】
【課題を解決するための手段】
上記した課題は、各請求項の発明によって解決される。
請求項１の発明は、ネックの長手方向に設けられる第一棒状部材と、前記第一棒状部材に沿って設けられ、一端部がその第一棒状部材の一端部に固定されており、他端部に第二雄ネジが形成されている第二棒状部材と、前記第一棒状部材の他端部に固定されており、前記第二棒状部材の他端部が通される構成で、第一雌ネジが形成された大径貫通孔を備える固定部材と、軸部の外周面に前記固定部材の第一雌ネジと螺合する第一雄ネジが形成されており、その軸部の内側に前記第二棒状部材の第二雄ネジが螺合する第二雌ネジが形成された深孔を備えるネジ部材と、前記第二棒状部材に引張り力が加えられたときに前記第一棒状部材を一方向に湾曲させ、前記第二棒状部材に押圧力が加えられたときに前記第一棒状部材を他方向に湾曲させる方向部材とを有しており、第一雄ネジ及び第一雌ネジのネジピッチは、第二雄ネジ及び第二雌ネジのネジピッチと異なっており、前記ネジ部材を一方向に回転させることにより、第一雄ネジと第一雌ネジ、及び第二雄ネジと第二雌ネジとの螺合作用で第二棒状部材に引張り力が加えられ、前記ネジ部材を逆方向に回転させることにより、第一雄ネジと第一雌ネジ、及び第二雄ネジと第二雌ネジとの螺合作用で前記第二棒状部材に押圧力が加えられるように構成されている。
【０００７】
本発明によると、第一雄ネジ及び第一雌ネジのネジピッチは、第二雄ネジ及び第二雌ネジのネジピッチと異なっており、前記ネジ部材を一方向に回転させることにより、第一雄ネジと第一雌ネジ、及び第二雄ネジと第二雌ネジとの螺合作用で第二棒状部材に引張り力が加えられ、前記ネジ部材を逆方向に回転させることにより、第一雄ネジと第一雌ネジ、及び第二雄ネジと第二雌ネジとの螺合作用で前記第二棒状部材に押圧力が加えられる。
第二棒状部材に引張り力が加えられると第一棒状部材は方向部材の働きで一方向に湾曲する。また、第二棒状部材に押圧力が加えられると第一棒状部材は前記方向部材の働きで他方向に湾曲する。したがって、第一棒状部材を一方向あるいは他方向に湾曲させることで、弦によるネックの撓みだけではなく、その他の原因によるネックの撓みも良好に修正することができる。
【００１０】
また、請求項２に示すように、請求項１に記載された弦楽器のネックの撓み修正装置をギターにセットすれば、ギターのネックの撓みを良好に修正することができる。
【００１１】
【発明の実施の形態】
以下、図１から図３等に基づいて、本発明の実施形態に係る弦楽器のネックの撓み修正装置の説明を行う。本実施形態は、ギターのネックに本発明の撓み修正装置を装着する例を示したものである。ここで、図１は、ネックの撓み修正装置の動作を表す模式側面図、図２はネックの撓み修正装置の平面図（Ａ図）、縦断面図（Ｂ図）、横断面図（Ｃ図）である。また、図３は図２（Ａ）のＩＩＩ矢視部の拡大平断面である。
なお、ネック２の幅方向をＸ方向、長さ方向をＹ方向（矢印方向が先端側）、厚み方向をＺ方向（矢印方向が表面側）として以下の説明を行う。
【００１２】
ギター１のネック２は、図６に示すように、ネック本体２ｍと、そのネック本体２ｍの表面を被う平板状のフレット板２ｆとから構成されている。ネック本体２ｍの表面中央には、そのネック本体２ｍの基端部から先端部近傍に至るまでＹ方向（長さ方向）に横断面略Ｕ字形の長溝２ｓが形成されており、その長溝２ｓにネックの撓み修正装置１０が収納固定されている。なお、ネック２の材料としては一般的に木材が使用される。
【００１３】
ネックの撓み修正装置１０は、ネック本体２ｍに形成された長溝２ｓの長さ寸法、幅寸法及び深さ寸法とほぼ等しい長さ寸法、幅寸法及び深さ寸法を備える第一棒状部材１２を備えている。第一棒状部材１２は、横断面略Ｕ字形に形成されており、その長手方向に溝１２ｍが設けられている。第一棒状部材１２は、図６（Ｂ）に示すように、溝１２ｍの開口が下側（長溝２ｓの底部）を向くように、ネック本体２ｍの長溝２ｓに収納される。第一棒状部材１２の材料としては、例えば、アルミ合金が使用される。
第一棒状部材１２の外側面には長手方向に細溝（図示されていない）が複数本形成されている。これによって、第一棒状部材１２をネック本体２ｍの長溝２ｓに収納し、両者１２，２ｍを接着する際に、第一棒状部材１２とネック本体２ｍとの接着性が向上する。
【００１４】
第一棒状部材１２の溝１２ｍには、図２等に示すように、芯状の第二棒状部材１４が収納されている。第二棒状部材１４の先端にはフランジ状のストッパ１４ｓが形成されており、そのストッパ１４ｓが第一棒状部材１２の先端外側に位置している。また、第二棒状部材１４のストッパ１４ｓの近傍には固定部１３が位置しており、その固定部１３と第二棒状部材１４とが第一棒状部材１２の外側からカシメられている。これによって、第一棒状部材１２の先端部に第二棒状部材１４の先端部が固定される。
【００１５】
即ち、第二棒状部材１４の先端部に対し、図２において右方向の引張り力が加えられた場合には、主としてストッパ１４ｓが働き、第一棒状部材１２の先端部と第二棒状部材１４の先端部とが相対移動不能に保持される。また、第二棒状部材１４の先端部に対し、図２において左方向の押圧力が加えられた場合には、固定部１３とカシメ部分の働きで、第一棒状部材１２の先端部と第二棒状部材１４の先端部とが相対移動不能に保持される。
【００１６】
第二棒状部材１４は、例えば円柱形に形成されており、その外径寸法は第一棒状部材１２の溝１２ｍの幅寸法にほぼ等しく設定されている。また、第二棒状部材１４の外周面には、樹脂テープ１４ｊがその第二棒状部材１４の長手方向に複数箇所で巻かれている。樹脂テープ１４ｊによって第一棒状部材１２と第二棒状部材１４との間で振動が生じないように配慮されている。第二棒状部材１４の基端部には、後記するネジ部材２５の第二雌ネジ２５ｗと螺合する第二雄ネジ１４ｔ（図３参照）が形成されている。
第二棒状部材１４の材料には、第一棒状部材１２よりも剛性の高い鉄等が使用される。
【００１７】
第二棒状部材１４と第一棒状部材１２の溝１２ｍの底面１２ｂとの間には、図２（Ｂ）に示すように、所定位置に板片１５が配置されている。板片１５は、第一棒状部材１２の底面１２ｂに取付けられており、後記するように第一棒状部材１２が図２（Ｂ）中で上方に湾曲する際の曲げ基準点となる。
なお、板片１５の位置は、第一棒状部材１２の長手方向において調整可能である。
即ち、板片１５が本発明の方向部材に相当する。
【００１８】
第一棒状部材１２の基端部には、図２等に示すように、ブロック状の固定部材２０が接着等によって取付けられている。固定部材２０には、図３に示すように、小径貫通孔２１と大径貫通孔２２とが同軸に形成されており、その小径貫通孔２１に第二棒状部材１４の基端部が挿入されている。固定部材２０の大径貫通孔２２には第一雌ネジ２２ｗが形成されており、その第一雌ネジ２２ｗにネジ部材２５の第一雄ネジ２５ｔが第二棒状部材１４の反対方向から螺合されている。
【００１９】
ネジ部材２５は、頭部２５ｈと軸部２５ｊとから構成されており、その軸部２５ｊの外周面に前述の第一雄ネジ２５ｔが形成されている。ネジ部材２５の軸部２５ｊには軸方向に深孔２５ｅが設けられており、その深孔２５ｅに第二雌ネジ２５ｗが形成されている。そして、ネジ部材２５の第二雌ネジ２５ｗに第二棒状部材１４の第二雄ネジ１４ｔが螺合される。
第一雄ネジ＆雌ネジ２５ｔ，２２ｗ及び第二雄ネジ＆雌ネジ１４ｔ，２５ｗは共に右ネジであり、それぞれのネジピッチは異なっている。例えば、第一雄ネジ＆雌ネジ２５ｔ，２２ｗのネジピッチは例えば０．５ｍｍ、第二雄ネジ＆雌ネジ１４ｔ，２５ｗのネジピッチは例えば０．８ｍｍに設定されている。
【００２０】
上記した構造により、固定部材２０の第一雌ネジ２２ｗに対してネジ部材２５の第一雄ネジ２５ｔを締付け方向に回転（右回転）させると、ネジ部材２５は固定部材２０の内部に進入（図３において左方向に移動）する。このとき、同時に第二棒状部材１４の第二雄ネジ１４ｔとネジ部材２５の第二雌ネジ２５ｗとが締付けられるため、第二棒状部材１４の基端部はネジ部材２５に引張られ、図３において右方向に移動する。しかし、第一雄ネジ＆雌ネジ２５ｔ，２２ｗのネジピッチ（０．５ｍｍ）は、第二雄ネジ＆雌ネジ１４ｔ，２５ｗのネジピッチ（０．８ｍｍ）よりも小さいため、第二棒状部材１４の基端部は第一雄ネジ＆雌ネジ２５ｔ，２２ｗと第二雄ネジ＆雌ネジ１４ｔ，２５ｗとのネジピッチの差分だけ右方向に移動し、その第二棒状部材１４には引張り力が加わる。
【００２１】
また、固定部材２０の第一雌ネジ２２ｗに対してネジ部材２５の第一雄ネジ２５ｔを緩める方向に回転（左回転）させると、ネジ部材２５は固定部材２０から後退（図３において右方向に移動）する。このとき、同時に第二棒状部材１４の第二雄ネジ１４ｔとネジ部材２５の第二雌ネジ２５ｗとが緩められるため、第二棒状部材１４の基端部はネジ部材２５によって軸方向に押圧され、図３において左方向に移動する。そして、前述のように、第二棒状部材１４の基端部は、第一雄ネジ＆雌ネジ２５ｔ，２２ｗと第二雄ネジ＆雌ネジ１４ｔ，２５ｗとのネジピッチの差分だけ左方向に移動し、その第二棒状部材１４の基端部には軸方向に押圧力が加わる。
【００２２】
固定部材２０の材料としては、例えば、黄銅等が使用され、ネジ部材２５の材料としては、例えば、鉄等が使用される。また、固定部材２０を亜鉛合金のダイカスト製にすれば、製作コストを低減させることができる。
【００２３】
次に、ネックの撓み修正装置１０の動作を説明する。
ネックの撓み修正装置１０は、図６（Ａ）に示すように、ネック本体２ｍの長溝２ｓの先端側にそのネックの撓み修正装置１０の第一棒状部材１２の先端側が合わせられるように、その長溝２ｓにセットされる。第一棒状部材１２の外側面には接着剤が塗布され、その第一棒状部材１２の溝１２ｍの開口が長溝２ｓの奥側（底部側）を向くように、第一棒状部材１２は長溝２ｓに押込まれる。このようにして、ネックの撓み修正装置１０がネック本体２ｍの長溝２ｓに収納された状態で、ネック本体２ｍの上面にはフレット板２ｆが接着される。これによって、ネックの撓み修正装置１０は、第一棒状部材１２がネック２と一体化された状態でそのネック２に埋め込まれる。
【００２４】
ここで、ネックの撓み修正装置１０がネック２に埋め込まれた状態では、図１（Ａ），（Ｃ）に示すように、第一棒状部材１２は直線状であり、第二棒状部材１４には引張り力も押圧力もほとんど加わっていない。この状態で、第二棒状部材１４は板片１５に当接して若干下向きに湾曲している。
【００２５】
ネック２が、図１（Ａ）のＴ１に示すように、弦４の張力を受けてギター１の表方向に撓む場合には、ネジ部材２５を右回転させて第二棒状部材１４に引張り力を付与する。第二棒状部材１４の基端部がネジ部材２５等により引張られると、図１（Ｂ）に示すように、第二棒状部材１４が板片１５を介して第一棒状部材１２を上方に押上げ、その第一棒状部材１２を上方に湾曲させる。即ち、第一棒状部材１２がネック２の内部でそのネック２の撓みＴ１と逆方向に湾曲する。これによって、ネック２の撓みＴ１が修正される。なお、ネジ部材２５の回転量によって第一棒状部材１２の湾曲程度を調整することができる。
【００２６】
また、ネック２が弦４の張力を受けてもなお、図１（Ｃ）のＴ２に示すように、ギター１の裏方向に撓む場合には、ネジ部材２５を左回転させて第二棒状部材１４の基端部を軸方向に押圧する。第二棒状部材１４の基端部が軸方向に押圧されると、図１（Ｄ）に示すように、第二棒状部材１４は第一棒状部材１２の溝１２ｍの両側壁面に沿ってさらに湾曲し、第二棒状部材１４の先端部が第一棒状部材１２の先端部を軸方向に押圧する。このとき、第二棒状部材１４は湾曲しているため、第二棒状部材１４の先端部が第一棒状部材１２の先端部を押圧する押圧力Ｆは斜め上方を指向している。即ち、押圧力ＦはＺ方向の力成分Ｆｕを有しているため、この力成分Ｆｕによって第一棒状部材１２の先端部が押し上げられる。これによって、第一棒状部材１２は下向きに湾曲する。
このように、第一棒状部材１２がネック２の内部でそのネック２の撓みＴ２と逆方向に湾曲するため、ネック２の撓みＴ２が修正される。
即ち、第一棒状部材１２の溝１２ｍの両側壁面が、本発明における第一棒状部材１２の曲がり方向を決める方向部材として機能する。
【００２７】
上記したように、本実施形態に係るネックの撓み修正装置１０によると、第一棒状部材１２の他端部には引張り／押圧手段（第一雄ネジ＆雌ネジ２５ｔ，２２ｗと第二雄ネジ＆雌ネジ１４ｔ，２５ｗ等）が設けられているため、第二棒状部材１４の他端部に引張り力あるいは押圧力を加えることが可能になる。第二棒状部材１４に引張り力が加えられると第一棒状部材１２は方向部材（板片１５）の働きで上向きに湾曲する（図１（Ｂ）参照）。また、第二棒状部材１４に押圧力が加えられると第一棒状部材１２は方向部材（第一棒状部材１２の溝１２ｍの両側壁面）の働きで下向きに湾曲する（図１（Ｄ）参照）。したがって、弦４よるネック２撓みだけではなく、ネック２が楽器の裏方向に撓む場合にも、その撓みを良好に修正できる。
【００２８】
また、第二棒状部材１４を引張る手段と押圧する手段とが一体化されているため、ネックの撓み修正装置がコンパクトになる。さらに、第一雄ネジ＆雌ネジ２５ｔ，２２ｗのネジピッチを第二雄ネジ＆雌ネジ１４ｔ，２５ｗのネジピッチより小さくしているため、ネジピッチ差に起因する力で第二棒状部材１４の他端部を引張ったり、押圧することができ、ネジ部材２５を回転させる力を小さくすることができる。
また、第二棒状部材１４を第一棒状部材１２の溝１２ｍ内に収納する構造のため、ネックの撓み修正装置をさらにコンパクトにできる。
【００２９】
また、本実施形態では、第一棒状部材１２を横断面略Ｕ字形に形成し、その第一棒状部材１２の内部に第二棒状部材１４を収納する例を示したが、図４に示すように、第一棒状部材３２と第二棒状部材３４とを共に略円柱形に形成しても良い。このように構成することで、第一棒状部材３２の成形が容易になるとともに、第一棒状部材３２の先端部と第二棒状部材３４の先端部との接続が容易になる。図４（Ａ）は、第一棒状部材３２の先端部と第二棒状部材３４の先端部とを溶接Ｗにより接続した例を表している。なお、ネジ部材２５及び固定部材２０の構造は、図３に示す構造と基本的に同じである。
【００３０】
第一棒状部材３２及び第二棒状部材３４は、鉄棒等により構成するのが経済的に好ましい。この場合、第二棒状部材３４の外径を第一棒状部材３２の外径よりも若干大径に設定する。これによって、第二棒状部材３４に対して第一棒状部材３２が湾曲し易くなる。
【００３１】
第一棒状部材３２の外周には所定位置に短筒３２ｆが取付けられており、第二棒状部材３４の外周にはその短筒３２ｆと同位置に短筒３４ｅが取付けられている。そして、第一棒状部材３２の短筒３２ｆと第二棒状部材３４の短筒３４ｅとが互いに当接するように構成されている。
また、第一棒状部材３２と第二棒状部材３４との周囲にはそれぞれ樹脂テープ（図示されていない）が巻かれており、互いの樹脂テープが接触するように構成されている。これによって、第一棒状部材３２と第二棒状部材３４との間で振動等が生じ難くなる。
【００３２】
ネジ部材２５を右回転させて第二棒状部材３４に引張り力を付与すると、図４（Ｂ）に示すように、第一棒状部材３２の先端部が図中上方の引張り力を受け、その第一棒状部材３２が短筒３２ｆ，３４ｅの位置を基準にして図中下方向に湾曲する。
逆に、ネジ部材２５を左回転させて第二棒状部材３４の基端部に押圧力を付与すると、図４（Ｃ）に示すように、第一棒状部材３２の先端部が図中下方の押圧力を受け、その第一棒状部材３２が短筒３２ｆ，３４ｅの位置を基準にして図中上方向に湾曲する。
即ち、短筒３２ｆ，３４ｅが本発明の方向部材に相当する。
【００３３】
このように、上記した構成のネックの撓み修正装置でも、ネジ部材２５を右回転あるいは左回転させることにより、第一棒状部材１２を弦４によるネック２の撓み修正方向あるいはその逆方向に湾曲させることができ、ネック２の撓み修正を良好に実施することができる。
なお、本実施形態においては、引張り／押圧手段の第一動力伝達手段と第二動力伝達手段とにネジ機構を使用する例を示したが、ネジ機構以外の機構（例えば梃子等）を使用することも可能である。
【００３４】
なお、本実施の形態では、ギター１のネック２にネックの撓み修正装置１０を装着する例を示したが、ギター以外の弦楽器のネックに本発明に係る撓み修正装置を装着することも可能である。
【００３５】
なお、本実施形態に記載される発明であって特許請求の範囲に記載されていない発明を以下に記載する。
（１）  請求項１記載の弦楽器のネックの撓み修正装置であって、
第二棒状部材に引張り力あるいは押圧力が加えられていない状態で、第一棒状部材は直線状であり、前記第二棒状部材は湾曲していることを特徴とする弦楽器のネックの撓み修正装置。
（２）  請求項１記載の弦楽器のネックの撓み修正装置であって、
第一棒状部材には長手方向に溝が形成されており、前記溝内に第二棒状部材が収納されていることを特徴とする弦楽器のネックの撓み修正装置。
（３）  （２）記載の弦楽器のネックの撓み修正装置であって、
方向部材は、第一棒状部材の溝の底面と第二棒状部材との間に配置された板片であることを特徴とする弦楽器のネックの撓み修正装置。
（４）  （２）記載の弦楽器のネックの撓み修正装置であって、
第一棒状部材の溝の幅寸法と第二棒状部材の外径寸法とはほぼ等しい値に設定されており、第一棒状部材の溝の両側壁面が方向部材として機能することを特徴とする弦楽器のネックの撓み修正装置。
【００３６】
【発明の効果】
本発明によると、第一棒状部材を一方向あるいは他方向に湾曲させることで、弦によるネックの撓みだけではなく、その他の撓みも良好に修正することができる。
【図面の簡単な説明】
【図１】本発明の実施形態１に係る弦楽器のネックの撓み修正装置の動作を表す模式図（Ａ図、Ｂ図、Ｃ図、Ｄ図）である。
【図２】ネックの撓み修正装置の平面図（Ａ図）、縦断面図（Ｂ図）及び横断面図（Ｃ図）である。
【図３】図２（Ａ図）のＩＩＩ矢視部の拡大平断面図である。
【図４】ネックの撓み修正装置の変更例を表す側面図（Ａ図）、及びネックの撓み修正装置の動作を表す模式図（Ｂ図、Ｃ図）である。
【図５】従来のネックの撓み修正装置の側面図（Ａ図）、横断面図（Ｂ図）及び動作を表す模式図（Ｃ図、Ｄ図）である。
【図６】ネックの撓み修正装置を備えるギターのネックの分解斜視図（Ａ図）及び前記ネックの横断面図（Ｂ図）である。
【図７】ギターのネックの撓み方向とネックの撓み修正装置の湾曲方向とを表す側面図である。
【符号の説明】
２      ネック
４      弦
１０    ネックの撓み修正装置
１２    第一棒状部材
１２ｍ  溝  （溝の両側壁面…方向部材）
１４    第二棒状部材
１４ｔ  第二雄ネジ
１５    板片（方向部材）
２０    固定部材
２２ｗ  第一雌ネジ
２５    ネジ部材
２５ｔ  第一雄ネジ
２５ｗ  第二雌ネジ
３２    第一棒状部材
３４    第二棒状部材
【図１】
0003607222.tif 000002
【図２】
0003607222.tif 000003
【図３】
0003607222.tif 000004
【図４】
0003607222.tif 000005
【図５】
0003607222.tif 000006
【図６】
0003607222.tif 000007
【図７】
0003607222.tif 000008